(57)【特許請求の範囲】
【請求項１】
通話及びファクシミリデータの送受信のための通信に対応し、アナログ信号ケーブルが接続される第一通信部と、
ファクシミリデータの送受信のための通信に対応し、デジタル信号ケーブルが接続される第二通信部と、
通信の相手先となる相手先装置のユーザとの通話のために、前記第一通信部が回線閉結された状態で、前記第二通信部を介した前記相手先装置との通信を、ＳＩＰによって確立するように制御する第一通信制御部と、
前記第一通信制御部による制御によって、前記相手先装置との通信が確立されたかを判断する第一判断部と、
前記第一判断部で通信が確立されたと判断された場合、前記第一通信部が回線閉結された状態で、前記第二通信部から前記相手先装置に前記ファクシミリデータを送信するように制御する第二通信制御部と、
前記第一通信制御部による制御によって、前記第二通信部で、回線使用中を示す第一種の信号が受信されたため、前記第一判断部で通信が確立されないと判断された場合、前記第一通信部を回線開放するように制御する第三通信制御部と、
前記第三通信制御部による制御によって、前記第一通信部が回線開放された状態で、前記第二通信部を介した前記相手先装置との通信を、ＳＩＰによって確立するように制御する第四通信制御部と、
前記第四通信制御部による制御によって、前記相手先装置との通信が確立されたかを判断する第二判断部と、
前記第二判断部で通信が確立されたと判断された場合、前記第一通信部が回線開放された状態で、前記第二通信部から前記相手先装置に前記ファクシミリデータを送信するように制御する第五通信制御部と、を備える通信装置。
【請求項２】
前記第一判断部で通信が確立されないと判断された場合、前記第一通信部が回線閉結された状態で、通話の終了に関する音声情報を、前記通信装置が備える音声出力部から出力するように制御する出力制御部を備え、
前記第三通信制御部は、前記出力制御部による制御によって、前記音声情報が出力された場合、前記第一通信部を回線開放するように制御する、請求項１に記載の通信装置。
【請求項３】
前記第一通信制御部による制御によって、前記第二通信部で、前記ＳＩＰによる通信に対応していないことを示す第二種の信号が受信され、又は、前記第一通信制御部による制御に対応した応答が受信されないため、前記第一判断部で通信が確立されないと判断された場合、回線閉結された状態の前記第一通信部から前記相手先装置に前記ファクシミリデータを送信するように制御する第六通信制御部を備える、請求項１に記載の通信装置。
【請求項４】
通話及びファクシミリデータの送受信のための通信に対応し、アナログ信号ケーブルが接続される第一通信部と、
ファクシミリデータの送受信のための通信に対応し、デジタル信号ケーブルが接続される第二通信部と、
通信の相手先となる相手先装置のユーザとの通話のために、前記第一通信部が回線閉結された状態で、前記第二通信部を介した前記相手先装置との通信を、ＳＩＰによって確立するように制御する第一通信制御部と、
前記第一通信制御部による制御によって、前記相手先装置との通信が確立されたかを判断する第一判断部と、
前記第一判断部で通信が確立されたと判断された場合、前記第一通信部が回線閉結された状態で、前記第二通信部から前記相手先装置に前記ファクシミリデータを送信するように制御する第二通信制御部と、
前記第一通信制御部による制御によって、前記第二通信部で、前記ＳＩＰによる通信に対応していないことを示す第二種の信号が受信され、又は、前記第一通信制御部による制御に対応した応答が受信されないため、前記第一判断部で通信が確立されないと判断された場合、回線閉結された状態の前記第一通信部から前記相手先装置に前記ファクシミリデータを送信するように制御する第六通信制御部と、を備える通信装置。
【請求項５】
前記第一判断部で通信が確立されないと判断された場合、前記第一通信部が回線閉結された状態で、通話の終了に関する音声情報を、前記通信装置が備える音声出力部から出力するように制御する出力制御部を備え、
前記第六通信制御部は、前記出力制御部による制御によって、前記音声情報が出力された場合、回線閉結された状態の前記第一通信部から前記相手先装置に前記ファクシミリデータを送信するように制御する、請求項３又は請求項４に記載の通信装置。
【発明の詳細な説明】
【技術分野】
【０００１】
本発明は、通話とファクシミリデータの送信に対応した通信装置に関する。
【背景技術】
【０００２】
通信装置に関する技術が提案されている。特許文献１には、ＩＰ網を経由して音声通信および画像通信を行う画像通信装置等が開示されている。特許文献１では、ＡＤＳＬによりＩＰ網と画像通信装置が接続される。ＡＤＳＬの場合は、終端装置としてＡＤＳＬモデムが用いられ、ＡＤＳＬモデムのＩＰ網側はアナログ電話回線接続、画像通信装置側はＬＡＮ接続となる。画像通信装置では、ユーザが通話中の相手に対して画像送信を希望する場合は、通話の状態を保持したまま画像を通信する操作が行われる。画像通信装置では、通話中の通話相手への画像送信が選択されると、通話相手との通話が切断される。その後、第２のセッション要求メッセージが相手方の画像通信装置に送信されて、ファクシミリデータがこの画像通信装置に送信される。
【先行技術文献】
【特許文献】
【０００３】
【特許文献１】特開２００５−１５９５８８号公報
【発明の概要】
【発明が解決しようとする課題】
【０００４】
発明者は、通話と、ファクシミリデータの送信が同じ期間に行えると、通信装置の利便性が向上すると考えた。例えば、通話を継続しつつ、通話相手の相手先装置にファクシミリデータを送信することができるようになる。また、ファクシミリデータの送信先を、相手先装置のユーザとの通話によって確認することができるようになる。さらに、送信したファクシミリデータが相手先装置で受信されたかを、その通話によって確認することができるようになる。再度、同じ相手先装置に電話をかけて確認するといった手間が生じない。
【０００５】
本発明は、通話とファクシミリデータの送信に対応した使い勝手のよい通信装置を提供することを目的とする。
【課題を解決するための手段】
【０００６】
本発明の一側面は、通話及びファクシミリデータの送受信のための通信に対応し、アナログ信号ケーブルが接続される第一通信部と、ファクシミリデータの送受信のための通信に対応し、デジタル信号ケーブルが接続される第二通信部と、通信の相手先となる相手先装置のユーザとの通話のために、前記第一通信部が回線閉結された状態で、前記第二通信部を介した前記相手先装置との通信を、ＳＩＰによって確立するように制御する第一通信制御部と、前記第一通信制御部による制御によって、前記相手先装置との通信が確立されたかを判断する第一判断部と、前記第一判断部で通信が確立されたと判断された場合、前記第一通信部が回線閉結された状態で、前記第二通信部から前記相手先装置に前記ファクシミリデータを送信するように制御する第二通信制御部と、を備える通信装置である。
【０００７】
これによれば、通話とファクシミリデータの送信を同じ期間に行うことができる。例えば、ファクシミリデータの送信先を通話によって確認した状態で、ファクシミリデータを通話相手であるユーザの相手先装置に送信することができる。送信後、ファクシミリデータが好適に受信されたかを通話によって確認することができる。ファクシミリデータが誤って第三者に送信されるといった誤送信の発生を防止することができる。ＳＩＰによって確立された通信において、ファクシミリデータを送信するため、高速なファクシミリデータの送信が可能となり、送信時間を短縮することができる。
【０００８】
この通信装置は、次のようにしてもよい。前記第一通信制御部による制御によって、前記第二通信部で、回線使用中を示す第一種の信号が受信されたため、前記第一判断部で通信が確立されないと判断された場合、前記第一通信部を回線開放するように制御する第三通信制御部と、前記第三通信制御部による制御によって、前記第一通信部が回線開放された状態で、前記第二通信部を介した前記相手先装置との通信を、ＳＩＰによって確立するように制御する第四通信制御部と、前記第四通信制御部による制御によって、前記相手先装置との通信が確立されたかを判断する第二判断部と、前記第二判断部で通信が確立されたと判断された場合、前記第一通信部が回線開放された状態で、前記第二通信部から前記相手先装置に前記ファクシミリデータを送信するように制御する第五通信制御部と、を備える、ようにしてもよい。これによれば、例えば、通話相手であったユーザの相手先装置が、同じ期間内の通話とファクシミリデータの受信に対応できない場合であっても、この相手先装置にファクシミリデータを送信することができる。ファクシミリデータの誤送信を防止することができる。ファクシミリデータは、ＳＩＰによって確立された通信において送信されるため、上記同様、高速なファクシミリデータの送信が可能となり、送信時間を短縮することができる。
【０００９】
前記第一判断部によって通信が確立されないと判断された場合、前記第一通信部が回線閉結された状態で、通話の終了に関する音声情報を、前記通信装置が備える音声出力部から出力するように制御する出力制御部を備え、前記第三通信制御部は、前記出力制御部による制御によって、前記音声情報が出力された場合、前記第一通信部を回線開放するように制御する、ようにしてもよい。これによれば、通話の終了を通信装置で通話中のユーザに報知することができる。ユーザが通話の終了を認識可能な状態で、回線開放を行い、ファクシミリデータの送信を開始させることができる。
【００１０】
前記第一通信制御部による制御によって、前記第二通信部で、前記ＳＩＰによる通信に対応していないことを示す第二種の信号が受信され、又は、前記第一通信制御部による制御に対応した応答が受信されないため、前記第一判断部で通信が確立されないと判断された場合、回線閉結された状態の前記第一通信部から前記相手先装置に前記ファクシミリデータを送信するように制御する第六通信制御部を備える、ようにしてもよい。これによれば、通話相手であったユーザの相手先装置と、ＳＩＰによる通信が確立されない場合であっても、この相手先装置にファクシミリデータを送信することができる。ファクシミリデータの誤送信を防止することができる。
【００１１】
前記第一判断部によって通信が確立されないと判断された場合、前記第一通信部が回線閉結された状態で、通話の終了に関する音声情報を、前記通信装置が備える音声出力部から出力するように制御する出力制御部を備え、前記第六通信制御部は、前記出力制御部による制御によって、前記音声情報が出力された場合、回線閉結された状態の前記第一通信部から前記相手先装置に前記ファクシミリデータを送信するように制御する、ようにしてもよい。これによれば、通話の終了を通信装置で通話中のユーザに報知することができる。ユーザが通話の終了を認識可能な状態で、ファクシミリデータの送信を開始させることができる。
【発明の効果】
【００１２】
本発明によれば、通話とファクシミリデータの送信に対応した使い勝手のよい通信装置を得ることができる。
【図面の簡単な説明】
【００１３】
【図１】本発明の実施形態に係る通信システムの一例を示す図である。
【図２】通信システムで実行される実施例１に係る通信のシーケンス図である。
【図３】通信システムで実行される実施例２に係る通信のシーケンス図である。
【図４】通信装置の手動送信処理の内の第１部分を示すフローチャートである。
【図５】通信装置の手動送信処理の内の第１部分に続く第２部分を示すフローチャートである。
【図６】通信装置の手動送信処理の内の第２部分に続く第３部分を示すフローチャートである。
【発明を実施するための形態】
【００１４】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１５】
＜通信システム＞
通信システム１について、図１を参照して説明する。図１に示す通信システム１は、ＩＰネットワークとしての次世代ネットワーク（Next Generation Network  以下、「ＮＧＮ」という）３と、アナログ回線網としての公衆電話交換回線網（Public Switched Telephone Networks  以下、「ＰＳＴＮ」という）５によって構築される。ＮＧＮ３は、光回線を基礎として構築される。構築された光回線により、通話及びファクシミリデータの送受信のための通信を行うことができる。ＰＳＴＮ５は、アナログ回線により、通話及びファクシミリデータの送受信のための通信を行うことができる。このような２種類の回線網を利用したサービスは、西日本電信電話株式会社及び東日本電信電話株式会社のような通信事業者によって提供される。西日本電信電話株式会社及び東日本電信電話株式会社によって提供されるＮＧＮ３を介したサービスの内の帯域確保型のデータ通信サービスとして、データコネクト（登録商標）サービスがある。利用可能な通信帯域は、６４ｋｂｐｓ、５１２ｋｂｐｓ、１Ｍｂｐｓ程度である。この帯域確保型のデータ通信サービスでは、ＰＳＴＮ５を介した通信と同様、市外局番から始まる電話番号（以下、「ダイヤル番号」という）が利用される。ダイヤル番号としては、例えば、０ＡＢＪやＥ．１６４形式が例示され、通信事業者から割り当てられる。
【００１６】
通信システム１は、通信装置１０と、通信装置５０と、ＳＩＰ（Session Initiation Protocol）サーバ８０と、ホームゲートウェイ（以下、「ＨＧＷ」という）８２と、交換機９０を含む。通信装置１０は、後述する手動送信処理（図４〜図６参照）を実行可能な装置である。通信装置５０は、通信装置１０の通信相手となる装置である。通信装置５０は、通信装置１０と同一の装置であってもよい。以下では、通信装置５０を、「相手先装置５０」という。通信装置１０は、デジタル信号ケーブルとしてのＬＡＮケーブル７と、アナログ信号ケーブルとしての電話機コード９によって、ＨＧＷ８２に接続される。通信装置１０の側のＨＧＷ８２は、光回線を基礎としたＮＧＮ３に接続される。ＮＧＮ３（光回線）及びＰＳＴＮ５は、通信事業者によって通信可能に接続される。図１に示す例では、相手先装置５０は、通信装置１０と同様の状態で設けられている。即ち、相手先装置５０は、ＬＡＮケーブル７及び電話機コード９によって、ＨＧＷ８２に接続される。相手先装置５０の側のＨＧＷ８２も、ＮＧＮ３（光回線）に接続される。図１とは異なり、相手先装置５０は、ＮＧＮ３に対応していない場合もある。このような相手先装置５０は、電話機コード９を介してＰＳＴＮ５に接続される。相手先装置５０が光回線に接続されておらず、ＰＳＴＮ５に接続されている場合、通信装置１０と相手先装置５０との間の通話と、通信装置１０と相手先装置５０との間のファクシミリデータの送受信は、例えば、光回線及びＰＳＴＮ５を介して行われる。
【００１７】
通信装置１０とＨＧＷ８２の接続、及び／又は、相手先装置５０とＨＧＷ８２の接続は、無線ＬＡＮによって行われてもよい。通信装置１０の側のＨＧＷ８２は、通信装置１０及びＮＧＮ３との間の通信を中継する。相手先装置５０の側のＨＧＷ８２は、相手先装置５０及びＮＧＮ３との間の通信を中継する。ＨＧＷ８２は、ＰＳＴＮ Ｉ／Ｆ２２，６２から電話機コード９を介して送信されたアナログ信号を、デジタル信号に変換し、ＮＧＮ３に送信する。ＨＧＷ８２で変換され、ＮＧＮ３に送信されたデジタル信号がＰＳＴＮ５の側に送られる場合、アナログ信号に変換される。ＨＧＷ８２は、通信事業者によって提供される場合もある。
【００１８】
ＳＩＰサーバ８０は、通信装置１０のＩＰアドレス及びＳＩＰＵＲＩ（SIP Uniform Resource Identifier）を対応付けて記憶し、相手先装置５０の、ＩＰアドレス及びＳＩＰＵＲＩを対応付けて記憶している。ＳＩＰサーバ８０は、ＳＩＰを用いて、通信装置１０と相手先装置５０との間の通信を制御する。ＮＧＮ３を介して実行されるＴ．３８ベースのＩＰＦａｘ（Internet Protocol Fax  以下、「Ｔ．３８Ｆａｘ」という）通信において、ＳＩＰに基づく各種の信号（指令）は、通信装置１０と相手先装置５０との間で、ＳＩＰサーバ８０を経由して送受信される。Ｔ．３８Ｆａｘ通信については、後述する。交換機９０は、ＰＳＴＮ５を介した通信において、伝送路間の接続を切り替える。
【００１９】
＜通信装置＞
通信装置１０は、ファクシミリ機能として、Ｔ．３８Ｆａｘ通信と、Ｇ３Ｆａｘ通信を行うための機能を有する。Ｔ．３８は、ＩＰプロトコルを用いて、Ｆａｘ通信を行うための伝送制御プロトコルである。Ｔ．３８Ｆａｘ通信は、ＳＩＰＵＲＩを用いて、ファクシミリデータを送受信するものである。Ｔ．３８Ｆａｘ通信によるファクシミリデータの送受信は、ＮＧＮ３を介して行われる。Ｇ３Ｆａｘ通信は、ファクシミリデータを送受信するものである。Ｇ３Ｆａｘ通信によるファクシミリデータの送受信は、一般的には、光回線及び／又はＰＳＴＮ５を介して行われる。両通信において、ファクシミリデータは符号化されて送受信される。通信装置１０では、通信装置１０のユーザと相手先装置５０のユーザが通話中である場合、通話から引き続き、その相手先装置５０に、ファクシミリデータを送信することができる。この送信は、Ｔ．３８Ｆａｘ通信又はＧ３Ｆａｘ通信の何れかによって行われる。この点については、後述する。
【００２０】
本実施形態では、Ｔ．３８Ｆａｘ通信におけるファクシミリデータの送信を「Ｔ．３８Ｆａｘ送信」という。Ｇ３Ｆａｘ通信におけるファクシミリデータの送信を「Ｇ３Ｆａｘ送信」という。上述したような通話から引き続き実行されるファクシミリ送信を「手動送信」という。
【００２１】
通信装置１０は、図１に示すように、表示部１２と、操作部１４と、読取部１６と、印刷部１８と、ネットワークインターフェース（ネットワークＩ／Ｆ）２０と、ＰＳＴＮインターフェース（ＰＳＴＮ Ｉ／Ｆ）２２と、ハンドセット２４を備える。通信装置１０は、ＣＰＵ３０と、プログラムＲＯＭ３２と、ＲＡＭ３４と、フラッシュＲＯＭ３６とを備える。これら各部１２〜３６は、バスライン２６に接続される。表示部１２は、諸情報を表示するためのディスプレイである。操作部１４は、複数のキーを含む。操作部１４に含まれるキーとしては、０〜９等のテンキー、短縮ダイヤルキー、オンフックキー及びスタートキー等が例示される。テンキー及び短縮ダイヤルキーは、例えば、ダイヤル番号を入力する際に押下される。オンフックキーは、通信装置１０においてハンドセット２４が載せ置かれる受話器台（不図示）に、ハンドセット２４が置かれたままの状態で、ＰＳＴＮ Ｉ／Ｆ２２を回線閉結させる場合に、押下される。スタートキーは、Ｔ．３８Ｆａｘ送信又はＧ３Ｆａｘ送信を行う際に、押下される。ユーザは、操作部１４に含まれる各種の処理に対応付けられたキーを操作することで、各種の指示を通信装置１０に入力することができる。
【００２２】
読取部１６は、原稿を読み取る。印刷部１８は、通信装置１０で受信されたファクシミリデータに対応する画像を、記録用紙に印刷する。ネットワークＩ／Ｆ２０には、ＬＡＮケーブル７が挿入（接続）される。ネットワークＩ／Ｆ２０は、ＨＧＷ８２を介して接続されるＮＧＮ３を介した通信に対応する。ＰＳＴＮ Ｉ／Ｆ２２には、電話機コード９が挿入（接続）される。ＰＳＴＮ Ｉ／Ｆ２２は、ＮＣＵ及びモデムを含む。ＰＳＴＮ Ｉ／Ｆ２２は、ＰＳＴＮ５を介した通信に対応する。ハンドセット２４は、通話に用いられる。ハンドセット２４は、音声の入力及び出力部として機能する。
【００２３】
ＣＰＵ３０は、演算処理を実行する。プログラムＲＯＭ３２は、手動送信処理を含む各種の処理等のためのコンピュータプログラムを記憶する。ＲＡＭ３４は、ＣＰＵ３０が各種のコンピュータプログラムを実行する際に利用される記憶領域となる。ＲＡＭ３４には、手動送信処理の実行途中に、この処理で利用される所定のデータ（情報）が記憶される。ＣＰＵ３０は、プログラムＲＯＭ３２に記憶された各種のコンピュータプログラムを実行する等して、通信装置１０を制御する。これによって、通信装置１０では、各種の処理が実行され、各種の機能が実現される。
【００２４】
フラッシュＲＯＭ３６は、各種のデータを記憶する。例えば、フラッシュＲＯＭ３６には、短縮ダイヤルテーブルが記憶される。短縮ダイヤルテーブルは、短縮ダイヤルキーによるダイヤル番号の入力を可能とするためのテーブルであって、各短縮ダイヤルキーと、ダイヤル番号が関連付けられたテーブルである。フラッシュＲＯＭ３６には、ＳＩＰサーバ８０のドメイン名が記憶される。ユーザは、操作部１４を操作し、ＳＩＰサーバ８０のドメイン名を記憶させる。この他、フラッシュＲＯＭ３６には、手動送信処理で出力される各種の音声情報（図５のＳ１１６及びＳ１２８、図６のＳ１３０参照）に対応した音声データが記憶される。
【００２５】
相手先装置５０は、図１に示すように、通信装置１０の各部１２〜３６に対応する、各部５２〜７６を備える。各部５２〜７６に関する説明は、上記同様であり、省略する。相手先装置５０は、既に実用化された公知の通信装置であってもよいが、上述した通り、通信装置１０と同一の装置であってもよい。相手先装置５０が公知の通信装置である場合、プログラムＲＯＭ７２には、手動送信処理のためのコンピュータプログラムは記憶されない。相手先装置５０が公知の通信装置である場合、相手先装置５０は、Ｔ．３８Ｆａｘ通信に対応していない装置であることもある。相手先装置５０が通信装置１０と同一の装置である場合、プログラムＲＯＭ７２には、手動送信処理のためのコンピュータプログラムが記憶され、相手先装置５０においても、手動送信処理が実行される。
【００２６】
＜通信システムでの通信＞
通信システム１で実行される、通信装置１０と相手先装置５０との間の通信について、２つの実施例を説明する。以下に説明する実施例１及び実施例２では、相手先装置５０は、図１に示すように、ＮＧＮ３及びＰＳＴＮ５に対応していることとする。通信装置１０及び／又は相手先装置５０は、ネットワークＩ／Ｆ２０，６０及びＰＳＴＮ Ｉ／Ｆ２２，６２の何れか一方によって通信している場合、他方による通信を行えないこととする。通信事業者が、例えば、東日本電信電話株式会社又は西日本電信電話株式会社である場合を例とすれば、両方で同時通信する（例えば、ＰＳＴＮ Ｉ／Ｆ２２を介して通話しつつ、ネットワークＩ／Ｆ２０を介して手動送信を行う）には、東日本電信電話株式会社又は西日本電信電話株式会社との間で、２回線分の契約を行う必要がある。
【００２７】
＜実施例１＞
実施例１について、図２を参照して説明する。実施例１では、通信装置１０が発呼側となり、相手先装置５０が被呼側となる。具体的に、実施例１は、通信装置１０から発信し、相手先装置５０のユーザとの通話が開始された後、通信装置１０が、ＮＧＮ３によって、この相手先装置５０に、ファクシミリデータを手動送信する場合の例である。
【００２８】
通信装置１０のユーザは、受話器台にあるハンドセット２４を持ち上げる（手順Ａ１）。これによって、ＰＳＴＮ Ｉ／Ｆ２２が回線閉結される。ハンドセット２４を持ち上げると行ったユーザの行為は、回線閉結のために行われる。従って、これ以外の方法によって、回線閉結の状態に移行できるのであれば、手順Ａ１は、その方法に基づいてもよい。例えば、ユーザは、操作部１４のオンフックキーを操作する。この他、通信装置１０がハンドセット２４を備えず、通信装置１０に電話機（不図示）が外付けされている場合、ユーザは、外付けされた電話機のハンドセットを持ち上げる。次に、通信装置１０のユーザは、操作部１４を操作し、相手先装置５０のダイヤル番号を入力する（手順Ａ２）。通信装置１０では、入力されたダイヤル番号に応じた発信処理が実行される。相手先装置５０では、これに伴い着信し、相手先装置５０のユーザが着信に応じ、例えば、ハンドセット６４を持ち上げると、ＰＳＴＮ Ｉ／Ｆ６２が回線閉結される（手順Ａ３）。これによって、通信装置１０と相手先装置５０との間は、通信可能な状態となり、相手先装置５０のユーザと通信装置１０のユーザの通話が開始される。通信装置１０では、手順Ａ２で入力され、手順Ａ３の発信処理に用いられた相手先装置５０のダイヤル番号が、ＲＡＭ３４に記憶される。この記憶は、ＣＰＵ３０によって制御される。
【００２９】
通話中の所定のタイミングで、通信装置１０のユーザは、操作部１４のスタートキーを押下する（手順Ａ４）。通信装置１０では、ネットワークＩ／Ｆ２０からＩＮＶＩＴＥが送信される（手順Ａ５）。ＩＮＶＩＴＥは、手順Ａ２で入力されたダイヤル番号に従い生成されたＳＩＰＵＲＩを送信先として送信される。例えば、ダイヤル番号が、「0123456789」で、ＳＩＰサーバ８０のドメイン名が「abc-defg.ne.jp」であったとする。この場合、生成されるＳＩＰＵＲＩは、「tel:0123456789;phone-context=abc-defg.ne.jp」となる。ＩＮＶＩＴＥは、ＳＩＰによる通信を開始する際に送信され、コール（セッション）に招待するためのメッセージである。ＩＮＶＩＴＥは、以降の通信に関する情報を含む。
【００３０】
上述した通り、実施例１では、通信装置１０及び／又は相手先装置５０は、ネットワークＩ／Ｆ２０，６０及びＰＳＴＮ Ｉ／Ｆ２２，６２の何れか一方によって通信している場合、他方による通信を実行できないことを前提とする。従って、手順Ａ５が実行された場合、通信装置１０では、ネットワークＩ／Ｆ２０で、４８６信号（486 Busy Here）が受信される（手順Ａ６）。４８６信号は、回線使用中を示すメッセージである。相手先装置５０が、ネットワークＩ／Ｆ６０及びＰＳＴＮ Ｉ／Ｆ６２を介した同時通信に対応していない場合、４８６信号は、ＳＩＰサーバ８０から送信される（図２参照）。なお、通信装置１０が、ネットワークＩ／Ｆ２０及びＰＳＴＮ Ｉ／Ｆ２２を介した同時通信に対応していない場合、４８６信号は、ネットワークＩ／Ｆ２０が接続されたＨＧＷ８２から送信される。手順Ａ５及びＡ６は、ＳＩＰに従った手順である。
【００３１】
４８６信号が受信された場合、通信装置１０では、ＰＳＴＮ Ｉ／Ｆ２２が回線開放され、通信装置１０及び相手先装置５０との間の通信が切断される（手順Ａ７）。相手先装置５０においても、ＰＳＴＮ Ｉ／Ｆ６２が回線開放される。続けて、通信装置１０では、再度、ネットワークＩ／Ｆ２０からＩＮＶＩＴＥが送信される（手順Ａ８）。ＩＮＶＩＴＥは、手順Ａ５の場合と同様、手順Ａ２で入力されたダイヤル番号に従い生成されたＳＩＰＵＲＩを送信先として送信される。手順Ａ５で生成されたＳＩＰＵＲＩを、ＲＡＭ３４に記憶しておき、これを利用するようにしてもよい。ＩＮＶＩＴＥは、ＳＩＰサーバ８０を経由して、相手先装置５０に送信され、ネットワークＩ／Ｆ６０で受信される（手順Ａ８）。相手先装置５０では、受信されたＩＮＶＩＴＥに応じ、ネットワークＩ／Ｆ６０から、２００ＯＫが送信される（手順Ａ９）。２００ＯＫは、ＩＮＶＩＴＥによる要求が受け入れられたことを示すメッセージである。２００ＯＫは、ＳＩＰサーバ８０を経由して、通信装置１０に送信され、ネットワークＩ／Ｆ２０で受信される（手順Ａ９）。これによって、通信装置１０と相手先装置５０との間で、ＳＩＰによる通信が確立される。
【００３２】
その後、通信装置１０と相手先装置５０との間では、Ｔ．３８Ｆａｘ通信が実行される（手順Ａ１０）。手順Ａ１０では、通信装置１０のネットワークＩ／Ｆ２０から、直接、相手先装置５０にファクシミリデータが送信される。ファクシミリデータは、読取部１６で原稿が読み取られ、読み取られた原稿に対応して生成される。ネットワークＩ／Ｆ２０から送信されたファクシミリデータは、ネットワークＩ／Ｆ６０で受信され、印刷部５８で記録用紙に印刷される。
【００３３】
ファクシミリデータの送信が終了すると、通信装置１０では、ネットワークＩ／Ｆ２０からＢＹＥが送信される（手順Ａ１１）。ＢＹＥは、ＩＮＶＩＴＥによるコールを終了することを通知するためのメッセージである。ＢＹＥは、ＳＩＰサーバ８０を経由して、相手先装置５０に送信され、ネットワークＩ／Ｆ６０で受信される（手順Ａ１１）。相手先装置５０では、受信されたＢＹＥに応じ、ネットワークＩ／Ｆ６０から、２００ＯＫが送信される（手順Ａ１２）。この場合の２００ＯＫは、ＢＹＥによる要求が受け入れられたことを示すメッセージである。２００ＯＫは、ＳＩＰサーバ８０を経由して、通信装置１０に送信され、ネットワークＩ／Ｆ２０で受信される（手順Ａ１２）。これによって、通信装置１０と相手先装置５０との間のＳＩＰによる通信は終了する。
【００３４】
＜実施例２＞
実施例２について、図３を参照して説明する。実施例２では、相手先装置５０が発呼側となり、通信装置１０が被呼側となる。具体的に、実施例２は、相手先装置５０から発信し、通信装置１０のユーザとの通話が開始された後、通信装置１０が、ＮＧＮ３によって、この相手先装置５０に、ファクシミリデータを手動送信する場合の例である。
【００３５】
相手先装置５０のユーザは、ハンドセット６４を持ち上げ（手順Ｂ１）、通信装置１０のダイヤル番号を入力する（手順Ｂ２）。相手先装置５０では、入力されたダイヤル番号に応じた発信処理が実行される。通信装置１０では、これに伴い着信し、通信装置１０のユーザが着信に応じ、例えば、ハンドセット２４を持ち上げると、ＰＳＴＮ Ｉ／Ｆ２２が回線閉結される（手順Ｂ３）。これによって、相手先装置５０のユーザと通信装置１０のユーザの通話が開始される。通信装置１０では、相手先装置５０からの着信に際し、受信される相手先装置５０のダイヤル番号がＲＡＭ３４に記憶される。この記憶は、ＣＰＵ３０によって制御される。手順Ｂ１〜手順Ｂ３は、実施例１の手順Ａ１〜手順Ａ３に対応する手順である。手順Ｂ１〜手順Ｂ３に関するこの他の説明は省略する。
【００３６】
通話中の所定のタイミングで、通信装置１０のユーザは、操作部１４のスタートキーを押下する（手順Ｂ４）。実施例２では、その後、手順Ｂ５〜手順Ｂ１２が順次実行される。手順Ｂ５及び手順Ｂ８でのＩＮＶＩＴＥは、手順Ｂ３の着信に際し、ＲＡＭ３４に記憶されたダイヤル番号に従い生成されたＳＩＰＵＲＩを送信先として送信される。手順Ｂ８では、手順Ｂ５で生成されたＳＩＰＵＲＩを、ＲＡＭ３４に記憶しておき、これを利用するようにしてもよい。手順Ｂ５〜手順Ｂ１２は、実施例１の手順Ａ５〜手順Ａ１２に対応する手順である。手順Ｂ５〜手順Ｂ１２に関する説明は省略する。
【００３７】
＜手動送信処理＞
手動送信処理について、図４〜図６を参照して説明する。手動送信処理は、上述した、実施例１の手順Ａ４又は実施例２の手順Ｂ４におけるスタートキーの押下を条件として、ファクシミリデータの送信側となる通信装置１０で開始される処理である。実施例１の手順Ａ１〜Ａ３、又は、実施例２の手順Ｂ１〜手順Ｂ３に関し、相手先装置５０のユーザとの通話に至る処理は、既に実用化された通信装置と同様にして実行される。通信装置１０が発呼側となる場合、上述した通り、ＣＰＵ３０は、入力されたダイヤル番号を、ＲＡＭ３４に記憶する（実施例１の手順Ａ２及び手順Ａ３参照）。通信装置１０が被呼側となる場合、上述した通り、ＣＰＵ３０は、着信に際し受信されたダイヤル番号を、ＲＡＭ３４に記憶する（実施例２の手順Ｂ３参照）。
【００３８】
手動送信処理を開始したＣＰＵ３０は、ネットワークＩ／Ｆ２０にＬＡＮケーブル７が挿入され、通信装置１０がリンクアップされているか否かを判断する（Ｓ１００）。ＬＡＮケーブル７が挿入されていない、又は、ローカルエリアネットワーク内の外部装置と通信できない場合、通信装置１０はリンクアップされていないとして、Ｓ１００は否定される（Ｓ１００：Ｎｏ）。Ｓ１００が否定された場合（Ｓ１００：Ｎｏ）、ＣＰＵ３０は、処理を図６のＳ１３０に移行する。ネットワークＩ／Ｆ２０を介して、ローカルエリアネットワーク内の外部装置と通信できる場合、通信装置１０はリンクアップされているとして、Ｓ１００は肯定される（Ｓ１００：Ｙｅｓ）。Ｓ１００が肯定された場合（Ｓ１００：Ｙｅｓ）、ＣＰＵ３０は、ネットワークＩ／Ｆ２０がＮＧＮ３に接続されているか否かを判断する（Ｓ１０２）。Ｓ１０２は、ネットワークＩ／Ｆ２０とＬＡＮケーブル７で接続されたＨＧＷ８２と通信し、自装置がＮＧＮ３に接続されているとみなされる状態であるか否かに従い判断される。Ｓ１０２での判断は、既に実用化された手法によって行われる。ＮＧＮ３に接続されているとみなされない場合、Ｓ１０２は否定される（Ｓ１０２：Ｎｏ）。Ｓ１０２が否定された場合（Ｓ１０２：Ｎｏ）、ＣＰＵ３０は、処理を図６のＳ１３０に移行する。
【００３９】
ＮＧＮ３に接続されているとみなされる場合、Ｓ１０２は肯定される（Ｓ１０２：Ｙｅｓ）。Ｓ１０２が肯定された場合（Ｓ１０２：Ｙｅｓ）、ＣＰＵ３０は、読取部１６での原稿の読み取りを制御する（Ｓ１０４）。読取部１６では、通信装置１０にセットされた原稿の読み取りが実行される。ＣＰＵ３０は、読み取られた原稿に対応したファクシミリデータを生成し、ＲＡＭ３４に記憶する。読取部１６での原稿の読み取りが完了し、読み取られた全原稿に対応する全てのファクシミリデータがＲＡＭ３４に記憶された場合、ＣＰＵ３０は、読取フラグをＯＮ（読取完了）にする。読取フラグは、原稿の読み取りが完了しているか否かを表す情報である。手動送信処理が開始された初期状態では、読取フラグはＯＦＦ（読取未完了）とされる。読取フラグは、ＲＡＭ３４に記憶される。続けて、ＣＰＵ３０は、ネットワークＩ／Ｆ２０からＩＮＶＩＴＥを送信するように制御する（Ｓ１０６）。Ｓ１０６は、実施例１の手順Ａ５及び実施例２の手順Ｂ５に対応する。従って、ＣＰＵ３０は、ＩＮＶＩＴＥを送信する場合、手順Ａ２で入力されたＲＡＭ３４に記憶された相手先装置５０のダイヤル番号、又は、手順Ｂ３に際し受信されたＲＡＭ３４に記憶された相手先装置５０のダイヤル番号に従いＳＩＰＵＲＩを生成する。ＩＮＶＩＴＥは、生成されたＳＩＰＵＲＩを送信先として送信される。Ｓ１０６を実行した後、ＣＰＵ３０は、処理を図５のＳ１０８に移行する。
【００４０】
Ｓ１０８で、ＣＰＵ３０は、送信されたＩＮＶＩＴＥに対し、ＳＩＰに従った応答を受信し、応答された信号の種別を判断する。ＳＩＰの応答が、ＩＮＶＩＴＥによる要求の受け入れを示す２００ＯＫであった場合（Ｓ１０８：２００ＯＫ）、ＣＰＵ３０は、Ｔ．３８Ｆａｘ送信を制御する（Ｓ１１０）。通信装置１０及び相手先装置５０の両装置共に、通信事業者との間で２回線分の契約が行われている場合、２００ＯＫが受信される。２００ＯＫの受信によって、通話中である相手先装置５０との間で通信が確立される。Ｓ１１０では、Ｓ１０４でＲＡＭ３４に記憶されたファクシミリデータが、ネットワークＩ／Ｆ２０から相手先装置５０に送信される。Ｔ．３８Ｆａｘ送信のための各手順は、従来と同様であり、説明は省略する。ファクシミリデータの送信後、上述した実施例１の手順Ａ１１及び手順Ａ１２、又は、実施例２の手順Ｂ１１及び手順Ｂ１２と同様の手順が順次実行される。
【００４１】
その後、ＣＰＵ３０は、ハンドセット２４が受話器台に載せ置かれたこと、又は、相手先装置５０において回線開放されたことが検出されたか否かを判断する（Ｓ１１２）。前述した何れについても検出されない場合（Ｓ１１２：Ｎｏ）、ＣＰＵ３０は、Ｓ１１２を繰り返して実行する。前述した何れかが検出された場合（Ｓ１１２：Ｙｅｓ）、ＣＰＵ３０は、ＰＳＴＮ Ｉ／Ｆ２２での回線開放を制御する（Ｓ１１４）。ＰＳＴＮ Ｉ／Ｆ２２は、回線開放する。Ｓ１１４を実行した後、ＣＰＵ３０は、手動送信処理を終了する。
【００４２】
Ｓ１０８で受信されたＳＩＰの応答が、ＩＮＶＩＴＥによる要求の失敗に関する、第一種の信号、第二種の信号若しくは第三種の信号の何れかであった場合、又は、ＳＩＰの応答が受信されなかった場合、ＣＰＵ３０は、受信状態に応じた処理を実行する。第一種の信号は、回線使用中を示す信号である。第一種の信号は、実施例１の手順Ａ６及び実施例２の手順Ｂ６で例示した、４８６信号である。第二種の信号は、ＮＧＮ３による通信に対応していないことを示す信号である。ＮＧＮ３による通信には、ＳＩＰが用いられるから、第二種の信号は、ＳＩＰによる通信に対応していないことを示す信号ということもできる。第二種の信号としては、４０３信号、４０４信号及び４８８信号が例示される。４０３信号は、ＮＧＮ３による通信に対応していない状況（ＳＩＰによる通信に対応していない状況）として、例えば、相手先装置５０の電源がオフされている場合に受信される。４０４信号は、ＮＧＮ３による通信に対応していない状況として、例えば、ＳＩＰサーバ８０に、相手先装置５０のＩＰアドレス及びＳＩＰＵＲＩが記憶されていない場合に受信される。４８８信号は、ＮＧＮ３による通信に対応していない状況として、例えば、相手先装置５０が、Ｔ．３８Ｆａｘ通信のようなＮＧＮ３を介したサービスの提供に関する契約を、通信事業者との間で締結していない場合に受信される。なお、第二種の信号は、ＳＩＰにおいて定義された４００番台の信号のうち、第一種の信号及び第三種の信号に含まれない他の信号の何れかであってもよい。第三種の信号は、相手先装置５０が一時的に通信できないことを示す信号である。第三種の信号は、４８０信号である。４８０信号は、例えば、相手先装置５０がメモリフルの場合に受信される。メモリフルは、受信されたファクシミリデータを記憶しておくためのメモリ（ＲＡＭ７４又はフラッシュＲＯＭ７６）がフルであることを意味する。
【００４３】
第一種の信号、具体的には、４８６信号が受信された場合（Ｓ１０８：第一種の信号（４８６））、ＣＰＵ３０は、通話終了に関する音声情報を出力するように制御する（Ｓ１１６）。第一種の信号である４８６信号が受信された場合（Ｓ１０８：第一種の信号（４８６））は、実施例１の手順Ａ６及び実施例２の手順Ｂ６に対応する。通話終了に関する音声情報は、実行中の通話が終了されることを内容とする情報である。通信終了に関する音声情報の出力先は、ハンドセット２４とされる。ＣＰＵ３０は、通信終了に関する音声情報に対応する音声データを、フラッシュＲＯＭ３６からＲＡＭ３４に読み出し、これを再生する。ＣＰＵ３０は、再生された音声情報をハンドセット２４から出力するように制御する。音声情報は、ハンドセット２４から出力される。通信装置１０のユーザは、相手先装置５０のユーザとの通話（会話）を終了し、ハンドセット２４を受話器台に戻す。この場合、相手先装置５０のユーザも、ハンドセット６４を受話器台（不図示）に戻す。
【００４４】
次に、ＣＰＵ３０は、ＰＳＴＮ Ｉ／Ｆ２２での回線開放を制御する（Ｓ１１８）。ＰＳＴＮ Ｉ／Ｆ２２は、回線開放する。Ｓ１１８は、実施例１の手順Ａ７及び実施例２の手順Ｂ７に対応する。Ｓ１１８を実行した後、ＣＰＵ３０は、ネットワークＩ／Ｆ２０からＩＮＶＩＴＥを送信するように制御する（Ｓ１２０）。Ｓ１２０は、実施例１の手順Ａ８及び実施例２の手順Ｂ８に対応する。ＣＰＵ３０は、ＩＮＶＩＴＥを送信する場合、手順Ａ２で入力されたＲＡＭ３４に記憶された相手先装置５０のダイヤル番号、又は、手順Ｂ３に際し受信されたＲＡＭ３４に記憶された相手先装置５０のダイヤル番号に従いＳＩＰＵＲＩを生成する。Ｓ１０６で生成されたＳＩＰＵＲＩをＲＡＭ３４に記憶しておき、これを利用するようにしてもよい。ＩＮＶＩＴＥは、生成されたＳＩＰＵＲＩを送信先として送信される。
【００４５】
その後、ＣＰＵ３０は、送信されたＩＮＶＩＴＥに対し、ＳＩＰの応答を受信し、応答された信号が２００ＯＫであるか、第一種の信号としての４８６信号であるかを判断する（Ｓ１２２）。第一種の信号である４８６信号が受信された場合（Ｓ１２２：第一種の信号（４８６））、ＣＰＵ３０は、予め定めた一定時間経過するのを待ち（Ｓ１２４）、処理をＳ１２０に戻す。Ｓ１２２のタイミングで４８６信号が受信される場合としては、次のような状況が想定される。即ち、Ｓ１１８に伴い、相手先装置５０でＰＳＴＮ Ｉ／Ｆ６２が回線開放した後、Ｓ１２０で送信されるＩＮＶＩＴＥが相手先装置５０で受信されるまでの期間に、相手先装置５０と、ＮＧＮ３に接続された通信装置１０以外の通信装置（不図示）との間で、通信が確立された場合、Ｓ１２２のタイミングで、４８６信号が受信される。Ｓ１２４での一定時間は、確立された通信が終了するまでの期間を考慮して、予め定められる。
【００４６】
２００ＯＫが受信された場合（Ｓ１２２：２００ＯＫ）、ＣＰＵ３０は、Ｔ．３８Ｆａｘ送信を制御する（Ｓ１２６）。２００ＯＫの受信によって、通話中であった相手先装置５０との間で通信が確立される。Ｓ１２６では、Ｓ１０４でＲＡＭ３４に記憶されたファクシミリデータが、ネットワークＩ／Ｆ２０から相手先装置５０に送信される。Ｔ．３８Ｆａｘ送信のための各手順は、従来と同様であり、説明は省略する。２００ＯＫが受信された場合（Ｓ１２２：２００ＯＫ）は、実施例１の手順Ａ９及び実施例２の手順Ｂ９に対応する。Ｓ１２６は、実施例１の手順Ａ１０及び実施例２の手順Ｂ１０に対応する。ファクシミリデータの送信後、上述した実施例１の手順Ａ１１及び手順Ａ１２、又は、実施例２の手順Ｂ１１及び手順Ｂ１２が実行される。その後、ＣＰＵ３０は、手動送信処理を終了する。
【００４７】
説明をＳ１０８に戻し、第三種の信号、具体的には、４８０信号が受信された場合（Ｓ１０８：第三種の信号（４８０））、ＣＰＵ３０は、通信不可に関する音声情報を出力するように制御する（Ｓ１２８）。通信不可に関する音声情報は、相手先装置５０が一時的なエラーでファクシミリデータを受信できないことを内容とする情報である。通信不可に関する音声情報の出力先は、ハンドセット２４及び相手先装置５０とされる。ＣＰＵ３０は、通信不可に関する音声情報に対応する音声データを、フラッシュＲＯＭ３６からＲＡＭ３４に読み出し、これを再生する。ＣＰＵ３０は、再生された音声情報をハンドセット２４から出力するように制御する。音声情報は、ハンドセット２４から出力される。ＣＰＵ３０は、再生された音声情報をＰＳＴＮ Ｉ／Ｆ２２に出力するように制御する。音声情報は、ＰＳＴＮ Ｉ／Ｆ２２から、相手先装置５０に送信される。相手先装置５０では、ＰＳＴＮ Ｉ／Ｆ６２で音声情報が受信され、ハンドセット６４から出力される。ハンドセット２４及び相手先装置５０への前述した各出力は、同時に制御するようにしてもよいが、順次制御するようにしてもよい。その後、ＣＰＵ３０は、処理をＳ１１２に移行し、Ｓ１１２を上記同様にして実行する。
【００４８】
Ｓ１０８で第二種の信号が受信された場合、又は、Ｓ１０６でＩＮＶＩＴＥを送信した後、一定時間内にＳＩＰの応答が受信されなかった場合（Ｓ１０８：第二種の信号（４０３，４０４，４８８）又は応答なし）、ＣＰＵ３０は、処理を図６のＳ１３０に移行する。ＳＩＰの応答が受信されない場合としては、サーバタイムアウト等が例示される。Ｓ１３０で、ＣＰＵ３０は、通話終了に関する音声情報を出力するように制御する。Ｓ１３０は、図５のＳ１１６と同様の処理であり、ＣＰＵ３０は、Ｓ１３０をＳ１１６と同様にして実行する。Ｓ１３０に関するこの他の説明は省略する。続けて、ＣＰＵ３０は、ＰＳＴＮ Ｉ／Ｆ２２からＣＮＧを送信するように制御する（Ｓ１３２）。ＣＮＧは、ファクシミリ装置であることを示す発呼側識別信号である。
【００４９】
その後、ＣＰＵ３０は、ＲＡＭ３４に記憶された読取フラグがＯＮであるか、ＯＦＦであるかを判断する（Ｓ１３４）。Ｓ１３４が、図４のＳ１０２が肯定され（Ｓ１０２：Ｙｅｓ）、Ｓ１０４及び図５のＳ１０８（Ｓ１０８：第二種の信号（４０３，４０４，４８８）又は応答なし）を経た状態で実行される場合、読取フラグはＯＮであると判断される（Ｓ１０４参照）。一方、Ｓ１３４が、図４のＳ１００又はＳ１０２の何れかが否定（Ｓ１００，Ｓ１０２：Ｎｏ）された状態で実行される場合、読取フラグはＯＦＦであると判断される。読取フラグがＯＮである場合（Ｓ１３４：ＯＮ）、ＣＰＵ３０は、Ｇ３Ｆａｘ送信を制御する（Ｓ１３６）。Ｓ１３６では、Ｓ１０４でＲＡＭ３４に記憶されたファクシミリデータが、ＰＳＴＮ Ｉ／Ｆ２２から相手先装置５０に送信される。Ｇ３Ｆａｘ送信のための各手順は、従来と同様であり、説明は省略する。
【００５０】
読取フラグがＯＦＦである場合（Ｓ１３４：ＯＦＦ）、ＣＰＵ３０は、読取部１６での原稿の読み取りと、ここで読み取られた全原稿に対応する全てのファクシミリデータのＧ３Ｆａｘ送信を制御する（Ｓ１３８）。Ｓ１３６又はＳ１３８を実行した後、ＣＰＵ３０は、ＰＳＴＮ Ｉ／Ｆ２２での回線開放を制御する（Ｓ１４０）。ＰＳＴＮ Ｉ／Ｆ２２は、回線開放する。その後、ＣＰＵ３０は、手動送信処理を終了する。相手先装置５０では、Ｓ１１０、Ｓ１２６、Ｓ１３６又はＳ１３８の何れかで送信されたファクシミリデータが受信され、このファクシミリデータに対応した画像が印刷部５８で記録用紙に印刷され、又は、印刷されず、ＲＡＭ７４又はフラッシュＲＯＭ７６に記憶される。
【００５１】
＜本実施形態の効果＞
本実施形態によれば、次のような効果を得ることができる。
【００５２】
（１）上記では、手動送信処理（図４〜図６参照）において、通信装置１０と相手先装置５０との間で、両装置のユーザが通話している状態から、この相手先装置５０にファクシミリデータを送信する（Ｓ１１０、Ｓ１２６、Ｓ１３６又はＳ１３８参照）こととした。そのため、ファクシミリデータの送信先を通話によって確認した状態で、ファクシミリデータを、通話相手である又は通話相手であったユーザの相手先装置５０に送信することができる。送信後、ファクシミリデータが好適に受信されたかを通話によって確認することができる。ファクシミリデータが誤って第三者に送信されるといった誤送信の発生を防止することができる。従って、通話とファクシミリデータの送信に対応した使い勝手のよい通信装置１０とすることができる。
【００５３】
手動送信処理では、相手先装置５０へのファクシミリデータの送信に際し、Ｓ１００、Ｓ１０２及びＳ１０８の各処理を通して、ファクシミリデータの送信方法を、Ｔ．３８Ｆａｘ送信（Ｓ１１０又はＳ１２６参照）とするか、Ｇ３Ｆａｘ送信（Ｓ１３６又はＳ１３８参照）とするかを判断することとした。Ｓ１０８では、Ｓ１０６で送信されたＩＮＶＩＴＥに対するＳＩＰの応答に応じて、Ｔ．３８Ｆａｘ送信（Ｓ１１０又はＳ１２６参照）とするか、Ｇ３Ｆａｘ送信（Ｓ１３６又はＳ１３８参照）とするかを判断することとした。そのため、通信装置１０及び相手先装置５０の状況に応じた送信方法で、ファクシミリデータを通信装置１０から送信し、相手先装置５０で受信することができる。
【００５４】
（２）上記では、手動送信処理のＳ１０２で、ＮＧＮ３に接続されていると判断された場合（Ｓ１０２：Ｙｅｓ参照）、続く、Ｓ１０４で原稿を読み取り、ファクシミリデータを生成し、ＲＡＭ３４に記憶することとした。通信装置１０がＮＧＮ３に接続されている場合（Ｓ１０２：Ｙｅｓ参照）、相手先装置５０へのファクシミリデータの送信は、Ｔ．３８Ｆａｘ送信（Ｓ１１０又はＳ１２６参照）によって行われる可能性がある。ＮＧＮ３を介して行われるＴ．３８Ｆａｘ送信は、Ｇ３Ｆａｘ送信と比較し、通信速度が高速であり、ファクシミリデータの送信を短時間で終了させることが可能である。Ｔ．３８Ｆａｘ送信を実行しつつ、原稿を読み取り、ファクシミリデータを生成するような構成では、通信速度に対して、ファクシミリデータの生成速度が遅くなり、ファクシミリデータの生成が間に合わなくなるといった事態が発生することも想定される。この点に関し、本実施形態の手動送信処理では、Ｔ．３８Ｆａｘ送信（Ｓ１１０又はＳ１２６参照）が実行される可能性がある場合（Ｓ１０２：Ｙｅｓ参照）には、事前にファクシミリデータを生成するため、前述のような事態が発生することはなく、Ｔ．３８Ｆａｘ送信による高速通信のメリットを有効に利用することができる。その結果、高速なファクシミリデータの送信が可能となり、送信時間を短縮することができる。
【００５５】
（３）上記では、手動送信処理のＳ１１６で、通話終了に関する音声情報をハンドセット２４から出力し、続く、Ｓ１１８で回線開放し、Ｓ１２６でＴ．３８Ｆａｘ送信を制御することとした。そのため、通信装置１０のユーザに、通話が終了することを認識させた上で、回線開放を行い、その後、ファクシミリデータの送信を開始させることができる。また、手動送信のＳ１３０で、通話終了に関する音声情報をハンドセット２４から出力し、その後、Ｓ１３６又はＳ１３８でＧ３Ｆａｘ送信を制御することとした。そのため、通信装置１０のユーザに、通話が終了することを認識させた上で、その後、ファクシミリデータの送信を開始させることができる。
【００５６】
さらに、手動送信処理のＳ１０８でＳＩＰの応答が、相手先装置５０が例えばメモリフルの状態で、一時的に通信できないことを示す第三種の信号（４８０信号）であった場合（Ｓ１０８：第三種の信号（４８０）参照）、Ｓ１２８で通信不可に関する音声情報を、ハンドセット２４から出力し、ＰＳＴＮ Ｉ／Ｆ２２から相手先装置５０に送信することとした。そのため、通信装置１０のユーザ及び相手先装置５０のユーザに、ファクシミリデータを送信できないことを認識させることができる。相手先装置５０のユーザは、ハンドセット６４から出力される音声情報を聴き取り、相手先装置５０の状態を認識し、対策を講じることができる。
【００５７】
＜変形例＞
上述したように構築される通信システム１では、相手先装置５０が通信装置１０と同一の装置である場合もある。この場合、同一の装置である、通信装置１０と相手先装置５０との間でファクシミリデータの送受信がなされる。通信装置１０と同一である相手先装置５０は、このような場合を考慮し、次のように動作するようにしてもよい。即ち、ファクシミリデータの受信側となる相手先装置５０は、ファクシミリデータの送信側となる通信装置１０が、上記同様、図５のＳ１１８で回線開放した場合、この回線開放を検出する。そして、回線開放が検出された場合、相手先装置５０のＣＰＵ７０は、自動的に、ＰＳＴＮ Ｉ／Ｆ６２での回線開放を制御する。その際、Ｓ１１６と同様、通話終了に関する音声情報がハンドセット６４から出力されるようにしてもよい。図１に示す通信システム１で、相手先装置５０から通信装置１０にファクシミリデータが送信される場合、通信装置１０のＣＰＵ３０は、相手先装置５０を例に説明した、回線開放の検出と、ＰＳＴＮ Ｉ／Ｆ２２での回線開放と、通話終了に関する音声情報の出力を制御する。この場合、相手先装置５０のＣＰＵ７０は、上述した手動送信処理（図４〜図６参照）を実行する。
【符号の説明】
【００５８】
１  通信システム
３  次世代ネットワーク（ＮＧＮ）
５  公衆電話交換回線網（ＰＳＴＮ）
７  ＬＡＮケーブル
９  電話機コード
１０  通信装置
１２，５２  表示部
１４，５４  操作部
１６，５６  読取部
１８，５８  印刷部
２０，６０  ネットワークインターフェース（ネットワークＩ／Ｆ）
２２，６２  ＰＳＴＮインターフェース（ＰＳＴＮ Ｉ／Ｆ）
２４，６４  ハンドセット
２６，６６  バスライン
３０，７０  ＣＰＵ
３２，７２  プログラムＲＯＭ
３４，７４  ＲＡＭ
３６，７６  フラッシュＲＯＭ
５０  通信装置（相手先装置）
８０  ＳＩＰサーバ
８２  ホームゲートウェイ（ＨＧＷ）
９０  交換機
【図１】
0005895675.tif 000002
【図２】
0005895675.tif 000003
【図３】
0005895675.tif 000004
【図４】
0005895675.tif 000005
【図５】
0005895675.tif 000006
【図６】
0005895675.tif 000007